(57)【要約】【課題】大容量の換気を可能とする共に、水密性と気密性にも優れるとともに、室内側からの意匠性にも優れた換気装置。【解決手段】換気框５の中央部の開口部４は、室内側開口縁の内側に形成された室内側開口部４ａと、室内側開口縁よりも小さい室外側開口縁の内側に形成された室外側開口部４ｂとを室内外方向に連続させて形成してなるとともに、室内側開口縁と室外側開口縁の各室内側面の四周には、それぞれ室内側タイト材２４と室外側タイト材２５とを設け、開口部４の閉鎖時には、蓋框６を前記室外側タイト材２５及び室内側タイト材２４に当接させ、かつ蓋框６の外周縁を換気框５の室内側面と重合させた。【選択図】図５
2008274642.tif 000002
【特許請求の範囲】
【請求項１】
建物に設けられた換気框と、前記換気框の中央部に形成された空気流通用開口部を室内側から開閉する蓋框と、前記換気框に対して前記蓋框を開閉可能に連結する連結部材と、該連結部材を介して、前記蓋框を開閉作動させる操作部とを備えた換気装置において、
前記開口部は、室内側開口縁の内側に形成された室内側開口部と、前記室内側開口縁よりも小さい室外側開口縁の内側に形成された室外側開口部とを室内外方向に連続させて形成してなるとともに、
室内側開口縁と室外側開口縁の各室内側面の四周には、それぞれ室内側タイト材と室外側タイト材とを設け、
前記開口部の閉鎖時には、前記蓋框を前記室外側タイト材及び室内側タイト材に当接させ、かつ前記蓋框の外周縁を前記換気框の室内側面と重合させた
ことを特徴とする換気装置。
【請求項２】
前記蓋框の端部にはキャップが設けられ、前記開口部の閉鎖時に、前記蓋框は、前記キャップを介して前記室内側タイト材に当接し、かつ前記換気框と重合したことを特徴とする、請求項１に記載の換気装置。
【請求項３】
前記換気框の室内側部にはタイト材が設けられ、該タイト材は、前記蓋框の閉鎖時に前記換気框の室内側面と略同一面上にあるように構成されたことを特徴とする、請求項１又は２に記載の換気装置。
【請求項４】
前記換気框を構成する短手方向の框材は断面略Ｊ字状で、室内側には短片部、室外側には長片部が形成され、前記短片部には前記蓋框に設けられたロック手段が係止可能に設けられていることを特徴とする、請求項１〜３のいずれかに記載の換気装置。
【請求項５】
前記換気框が、金属製の金属框の室内側に樹脂框を設けた構造の扉、又は金属枠の室内側に樹脂枠を設けた複合構造の窓枠に配置されることを特徴とする、請求項１〜４のいずれかに記載の換気装置。
【発明の詳細な説明】
【技術分野】
【０００１】
本発明は、窓、扉等の建物の開口に設置される換気装置に関する。
【背景技術】
【０００２】
窓や扉等に設けられた換気構造については、種々のものがある。
【０００３】
扉の換気構造として比較的簡単なものは、例えばドアに上げ下げ窓を組込む構造のもの、ガラスルーバーを組込む構造のものがある。
【０００４】
しかしこのような構造では、ガラス面が可変又は移動することで換気する為に、外部から明らかに換気中であることが確認でき、居住者のプライバシーの保護の面に欠け、また換気中に換気口から内部に腕を入れて扉を解錠することも可能になっていた。
【０００５】
一方、上記のような不都合を解消するような、通風機能が付与された扉が開示されている（特許文献１）。この特許文献１に係る扉は、その扉の中央部に設けられた通風機構ユニットにより換気されるようになっている（特許文献１参照）。
【０００６】
しかし、この通風機構ユニットは通風可能な複数の開口部を、回転蓋部材の偏心回転により開閉する構造となっていて、通風機構が複雑で部品点数も多く、コスト高になることが十分に予測できる。
【０００７】
また、窓の換気構造については、特許文献２に記載されているように室外側見付け片を有する第１形材と、室内側見付け片を有する第２形材の少なくともいずれか一方に換気口を有する見込み片を形成し、第１形材と第２形材の少なくともいずれか一方に、換気口を開放状態と閉鎖状態とに切り替える開閉板を移動自在に支持させて構成されている（特許文献２参照）。
【０００８】
この特許文献２の換気構造は、換気中に換気口から内部に腕を入れて扉を解錠することは不可能で、その意味では防犯可能な換気装置となっているが、大容量の換気は望めない。
【０００９】
そこで、このような要求に対応するものとして、大容量の換気を可能とする共に、換気中でも不審者の手や腕が侵入し難い構造とし、また外部から換気中であるか否かが判りづらく、その外観の意匠をくずすことのない構造とし、さらに、扉に限らず、建物のあらゆる個所において採風、換気、通気が可能な換気装置が提案されている（特許文献３参照）。
【特許文献１】特開２００３−１６１０８２
【特許文献２】特開２０００−３２０２６９
【特許文献３】特開２００６−１６９９４１
【発明の開示】
【発明が解決しようとする課題】
【００１０】
しかしながら、特許文献３の技術は、上述のような効果が期待できるものの、水密性と気密性の点で必ずしも十分とはいえなかった。
【００１１】
本発明は上記問題点を解消し、特許文献３の効果に加え、さらに水密性と気密性にも優れるとともに、室内側からの意匠性にも優れた換気装置を提供することをその課題とする。
【課題を解決するための手段】
【００１２】
上記課題を解決するため、請求項１に係る発明は、建物に設けられた換気框と、前記換気框の中央部に形成された空気流通用開口部を室内側から開閉する蓋框と、前記換気框に対して前記蓋框を開閉可能に連結する連結部材と、該連結部材を介して、前記蓋框を開閉作動させる操作部とを備えた換気装置において、前記開口部は、室内側開口縁の内側に形成された室内側開口部と、前記室内側開口縁よりも小さい室外側開口縁の内側に形成された室外側開口部とを室内外方向に連続させて形成してなるとともに、室内側開口縁と室外側開口縁の各室内側面の四周には、それぞれ室内側タイト材と室外側タイト材とを設け、前記開口部の閉鎖時には、前記蓋框を前記室外側タイト材及び室内側タイト材に当接させ、かつ前記蓋框の外周縁を前記換気框の室内側面と重合させたことを特徴とする。
【００１３】
請求項２に係る発明は、請求項１において、前記蓋框の端部にはキャップが設けられ、前記開口部の閉鎖時に、前記蓋框は、前記キャップを介して前記室内側タイト材に当接し、かつ前記換気框と重合したことを特徴とする、請求項１に記載の換気装置。
【００１４】
請求項３に係る発明は、請求項１又は２において、前記換気框の室内側部にはタイト材が設けられ、該タイト材は、前記蓋框の閉鎖時に前記換気框の室内側面と略同一面上にあるように構成されたことを特徴とする。
【００１５】
請求項４に係る発明は、請求項１〜３のいずれかにおいて、前記換気框を構成する短手方向の框材は断面略Ｊ字状で、室内側には短片部、室外側には長片部が形成され、前記短片部には前記蓋框に設けられたロック手段が係止可能に設けられていることを特徴とする。
【００１６】
請求項５に係る発明は、請求項１〜４のいずれかにおいて、前記換気框が、金属製の金属框の室内側に樹脂框を設けた構造の扉、又は金属枠の室内側に樹脂枠を設けた複合構造の窓枠に配置されることを特徴とする。
【発明の効果】
【００１７】
請求項１に係る発明によれば、大容量の換気を可能とする共に、換気中でも不審者の手や腕が侵入し難い構成とし、また外部から換気中であるか否かがわかりにくく、その外観の意匠をくずすことがない構成とし、さらに、扉に限らず、建物のあらゆる開口個所において換気等が可能な換気装置を提供することができる。
【００１８】
また、換気框に形成された開口部には、室外側タイト材及び室内側タイト材が設けられており、蓋框による開口部の閉鎖時に、室外側タイト材及び室内側タイト材に蓋框が当接するとともに、蓋框の周縁は換気框と重合されるので、水密性及び気密性に優れた換気装置を提供することができる。
【００１９】
請求項２に係る発明によれば、蓋框の端部にはキャップが設けられ、該キャップは蓋框の閉鎖時に室内側タイト材に当接するとともに、前記換気框と重合するので、室内側タイト材と樹脂換気框との境目が隠せる。したがって、室内側が見栄えのよい意匠性に優れた換気装置となる。
【００２０】
請求項３に係る発明によれば、換気框の室内側部に設けられたタイト材の室内側面は、蓋框の閉鎖時に樹脂換気框の室内側面と略同一面上にあるので、蓋框が室内側への突出量の少ないスリムな形状の換気装置となる。
【００２１】
請求項４に係る発明によれば、前記換気框を構成する短手方向の框材は断面略Ｊ字状で、室内側には短片部、室外側には長片部が形成され、前記短片部には前記蓋框に設けられたロック手段が係止可能に設けられているので、特にロック手段の受けを設ける必要がなく、確実に蓋框をロックすることができる。
【００２２】
請求項５に係る発明によれば、換気框が、扉又は窓枠に配置されると、水密性及び気密性がよく、室内側の意匠性に優れた換気装置付き窓となる。
【発明を実施するための最良の形態】
【００２３】
本発明に係る換気装置の実施形態を図面に基いて説明する。
【００２４】
この換気装置は、換気が必要な建物の任意の開口場所に設けることが可能であって、以下では、扉に設けられた換気装置の実施形態について説明する。
【００２５】
図１〜図４において符号Ｋは扉Ｄの換気装置を示す。扉Ｄは上枠ｆ１、下枠ｆ２、左右の縦枠ｆ３によって枠組みされた窓枠内に回動自在に組み込まれ、化粧部材としてガラス板Ｇが嵌めこまれた勝手口ドアを示す実施形態である。上記換気装置は、上下框１、２と左右の縦框３とを方形に框組みした扉Ｄの中央に室外側と室内側の空気流通のために開口された空気流通部としての開口部を開閉自在に設けたもので、主に、前記上下框１、２間の略中央に方立状に配置された換気框５と、この換気框５の中央に形成された開口部４を開閉する蓋框６と、前記換気框５の開口部４を前記蓋框６により開閉可能に連結する連結部材７（図２等参照）と、この連結部材７を介して、上記蓋框６により上記開口部４を閉鎖したり、開放すると共に、上記開口部４の閉鎖時に上記蓋框６を換気框５側に係止させる操作部としてのハンドル部８とから構成されている。なお、一方の縦框３には扉Ｄの開閉用のハンドル１０が取付けられている。
【００２６】
上下框１、２と左右の縦框３はアルミニウム等の金属部と樹脂部とから構成された複合框であり、上下框１、２と左右の縦框３の室内側には、合成樹脂製の樹脂上下框１ａ、２ａと樹脂縦框３ａとが設けられている。
【００２７】
次に、換気框５は、上下部框材１１、１２と左右の縦框材１３とを方形に框組みしてなるもので、上框１の下面と下框２の上面の各中央部には換気框５が扉Ｄを左右に画成するように配置され、換気框５の中央部の内側には開口部４が形成されている。また、換気框５の室外側には化粧用のカバー枠１４が取りつけられ、カバー枠１４の内側には防虫ネット９の取付用サヤ部が形成されている。
【００２８】
上記上下部框材１１、１２は上記上下框１、２に沿って取付けられて、上記開口部４の横幅寸法を設定するもので、それら上下部框材１１、１２の両端部から左右の縦框３に平行して、左右縦框材１３がそれぞれ配置されている。
【００２９】
上記上下部框材１１、１２は断面略Ｊ字状で、室内側には短片部１６、室外側には長片部１７が形成されている。短片部１６の先端は室内側に曲っている。また左右縦框材１３は外側と内側の２つの中空部１８、１９を略Ｌ字状に連結するとともに、図５に詳しく示すように、内側中空部１９の室内外側端面から外方にペアガラスＧを嵌合するガラス嵌合溝を形成するための嵌合縁２１を備えている。
【００３０】
上記開口部４は、室内側開口部４ａとこれよりも小さい室外側開口部４ｂとを室内外方向に連続させて形成してなるものである。室内側開口部４ａは、上下部框材１１、１２の短片部１６と左右縦框材１３の内側中空部１９によって構成された室内側開口縁の内側に形成されている。また、室外側開口部４ｂは、上下部框材１１、１２の長片部１７と左右縦框材１３の外側中空部１８によって構成された室外側開口縁の内側に形成されている。
【００３１】
左右縦框材１３の内外２つの中空部１９、１８の各室内側の面にはタイト材の嵌合溝２２、２３が形成されている。上下部框材１１、１２の室内側短片部１６と室外側長片部１７にもそれぞれタイト材の嵌合溝２２、２３が形成されている。これにより、上下左右の室内側嵌合溝２２にそれぞれ嵌合されたタイト材２４と上下左右の室外側嵌合溝２３にそれぞれ嵌合されたタイト材２５とにより、室内側開口縁の室内側面の四周と室外側開口縁の室内側面の四周とには、それぞれ室内側タイト材２４と室外側タイト材２５とが配設されている。これにより、室内側タイト材２４と室外側タイト材２５は図８及び図９（ａ）のように連続する。
【００３２】
また、上記換気框５は主にアルミニウム等の金属から構成され、その左右の縦框材１３の室内側には、上記嵌合溝の外側に嵌合縁２１が平行に形成され、この嵌合縁２１の室内側面に合成樹脂製の樹脂換気框５ａが一体に設けられている。この樹脂換気框５ａと左右の室内側タイト材２４とは、図８及び図９（ａ）のように換気框５の屋内側に平行に設けられている。なお、換気框５の上部框材１１と下部框材１２の室内側の短片部１６は、図４に示されるように、それぞれ上框１と下框２の室内側に設けられた樹脂上框１ａと樹脂下框１ｂによって覆われている。
【００３３】
次に、上記蓋框６は、図５及び図９（ｂ）のように板状部６ａの背面の中央部に中空状の凸状部６ｂを突出形成した金属部の室内側に合成樹脂製の樹脂カバー２６を設けたもので、板状部６ａの幅は換気框５の幅よりもやや小さく形成され、中央部の長手方向に沿って凹部２７が形成されている。凸状部６ｂの幅は換気框５の外側中空部１８間の寸法よりも大きく、内側中空部１９間の寸法よりも小さくなるように形成されている。また、板状部６ａの両側背面には上記換気框５の室内側タイト材２４が当接可能に配置され、凸状部６ｂの両側背面には上記換気框５の室外側タイト材２５が当接可能に形成されている。
【００３４】
また、蓋框６の背面の両側には長手方向に沿って突条２８が形成されている。これらの突条２８は換気框５の縦框材１３のタイト材に対応する位置に形成されている。
【００３５】
さらに、上記蓋框６の板状部６ａの室内側面には合成樹脂製の樹脂カバー２６が設けられている。この樹脂カバー２６は板状部６ａの両側端と中央凹部２７とにそれぞれ係止することによって固定されている。
【００３６】
なお、上記蓋框６の上下端には合成樹脂製のキャップ３０が取り付けられている。なお、キャップ３０の室外側には、蓋框６の突条２８の室外側の面と略同一面になるような当接面を有する側面視略三角形状の突部３１が形成されている。したがって、この突部３１は蓋框６の延長部とみてよい。
【００３７】
なお、図５に示すように、換気框５が閉鎖状態になっているときは、換気框５の室内側タイト材２４は樹脂換気框５ａの室内側面と略同一面上にあるように構成されている。
【００３８】
換気框５と蓋框６とは閉鎖時には当接するようになっている。すなわち、図２及び図４に示されるように、換気框５の室内側に設けられている樹脂換気框５ａと樹脂上下框１ａ、２ａの室内側面は、それぞれ蓋框６の樹脂カバー２６とキャップ３０の突部３１の室外側面に重合している。また、換気框５の室内側タイト材２４は蓋框６の突条２８とキャップ３０の突部３１の室外側面に当接している。換気框５の室外側タイト材２５は、蓋框６の凸状部６ｂの室外側面に当接している。
【００３９】
なお、換気框５が閉鎖しているときは、換気框５の左右の縦框材１３の室内側タイト材２４は蓋框６の突条２８に当接しているが、これは金属製の突条２８が軟質の室内側タイト材２４に圧接しているものであるから、室内外は確実にシールすることができる。
【００４０】
次に、蓋框６と換気框５とは連結部材７によって連結され、蓋框６は連結部材７を介して開閉可能に設けられている。また、蓋框には換気框５の上下部框材１１、１２の室内側の短片部１６に係止可能なロック棒（ロック手段）２９が上下動可能に設けられ、常時突出方向にバネ付勢されている。ロック棒２９の先端の室外側には傾斜面が形成され、傾斜面が上下部框材１１、１２の短片部１６に当ってさらに押し付けられることにより引っ込んで短片部１６を越えた後に再び突出して短片部１６に係止するように構成されている。そして、蓋框６の正面中央には、上記ロック棒２９を引っ込み方向に作動させるハンドル部８が設けられ、ハンドル部８を略９０度時計方向又は反時計方向に回転することによってロック棒２９が突出して上下部框材１１、１２の短片部１６に係止し、または沈みこんで上記短片部１６との係止が解除するようになっている。このような連結機構や施錠・解錠機構は公知の手段によればよい。
【００４１】
次に、上記換気装置によって換気を行うときは、ハンドル部８を反時計方向に略９０度回転させ、ロック棒によるロックを解除した後、ハンドル部８を手前に引いて室内側に蓋框６を引き出せばよい。これにより、換気框５の開口部４が開放されて図６及び図７に矢印で示すような空気流通路が形成される。
【００４２】
換気装置は上述のように構成されているので、大容量の換気を可能とする共に、蓋框６を開閉作動させても外観の意匠は変わらないので、外部から換気中であるか否かがわかりにくく、換気中でも不審者の手や腕が侵入し難いので防犯性に優れている。
【００４３】
また、換気框５の室内側面には樹脂換気框５ａが設けられ、蓋框６の室内側面には樹脂カバー２６が設けられているので、防露性や断熱性に優れるだけでなく、室内側に金属部分が露出しないので、室内側の意匠性に優れた換気装置となる。
【００４４】
さら、換気框５に形成された開口部４には、室外側タイト材２５及び室内側タイト材２４が設けられており、蓋框６による開口部４の閉鎖時に、室外側タイト材２５及び室内側タイト材２４に蓋框６が当接するとともに、蓋框６の周縁は換気框５と重合されるので、水密性及び気密性に優れた換気装置を提供することができる。
【００４５】
しかも、蓋框６の端部にはキャップ３０が設けられ、該キャップ３０は蓋框６の閉鎖時に室内側タイト材２４に当接するとともに、上記換気框５と重合するので、室内側タイト材２４と樹脂換気框５ａとの境目が隠せる。同様に、換気框５の室内側面の樹脂換気框５ａに、蓋框６の室内側面の樹脂カバー２６が重合するので、タイト材やタイト材と樹脂換気框５ａとの境目が隠れる。したがって、室内側が見栄えのよい意匠性に優れた換気装置となる。
【００４６】
これに関連し、換気框５が閉鎖しているときは、換気框５の左右の縦框材１３の室内側タイト材２４は蓋框６の突条２８に当接しているが、これは金属製の突条２８が軟質のタイト材に圧接しているものであるから、室内外は確実にシールすることができる。
【００４７】
しかも、換気框５の室内側部に設けられたタイト材の室内側面は蓋框６の閉鎖時に樹脂換気框５ａの室内側面と略同一面上にあるように構成されているので、蓋框６が室内側への突出量の少ないスリムな形状の換気装置となる。
【００４８】
ところで、換気装置の位置は、扉Ｄの框面の中央に限定されるものでもなく、また一つの扉Ｄに複数の換気装置を配置してもよい。
【００４９】
なお、前述の実施形態は、換気装置が金属製の金属框の室内側に樹脂框を設けた構造の扉に設けた例であるが、これに限定されず、金属枠の室内側に樹脂枠を設けた複合構造の窓枠に配置してもよい。例えば、図１０に示されるように、左右の嵌め殺し窓の間に換気装置Ｋを設けることにより、上記作用効果の他、採光効果に加えて、通気も可能になる。また、図１１に示されるように、引き違い窓に隣接して換気装置Ｋを設けることにより、上記作用効果の他、内外障子を施錠したまま大容量の通気も可能になり、内外障子を開放した場合の防犯上の不安も解消する。また、外出中に換気中でも防犯上、有効な換気装置になっている。しかも、換気框が、金属枠の室内側に樹脂枠を設けた複合構造の窓枠に配置されると、防露性、断熱性および室内側の意匠性に優れた換気装置付き窓となる。そのほか、片引窓竪辷り出窓、開き窓、上下げ窓等に設けてもよい。このように、換気框が、扉又は窓枠に配置されると、水密性及び気密性がよく、室内側の意匠性に優れた換気装置付き窓となる。
【００５０】
さらに、上記実施形態の扉又は窓枠は金属と合成樹脂との複合構造を備えたものであるが、本発明に係る換気装置はこれに限定されない。金属のみの扉又は窓枠に設けることもできる。
【図面の簡単な説明】
【００５１】
【図１】実施形態にかかる扉の斜視図
【図２】図１の横断面図
【図３】図２のＸ−Ｘ線上の断面図
【図４】図２のＹ−Ｙ線上の断面図
【図５】換気装置の横断面の拡大図
【図６】換気装置の開放状態の縦断面図
【図７】換気装置の開放状態の横断面図
【図８】タイト材の配置状態を示す正面図
【図９】（ａ）（ｂ）は換気框及び蓋框の斜視図
【図１０】別の実施形態を示す正面図
【図１１】他の実施形態を示す正面図
【符号の説明】
【００５２】
Ｄ  扉
Ｋ  換気装置
５  換気框
５ａ  樹脂換気框
６  蓋框
２６  樹脂カバー
【図１】
2008274642.tif 000003
【図２】
2008274642.tif 000004
【図３】
2008274642.tif 000005
【図４】
2008274642.tif 000006
【図５】
2008274642.tif 000007
【図６】
2008274642.tif 000008
【図７】
2008274642.tif 000009
【図８】
2008274642.tif 000010
【図９】
2008274642.tif 000011
【図１０】
2008274642.tif 000012
【図１１】
2008274642.tif 000013